(57)【要約】【課題】作物収穫機において、走行装置により収穫前の作物を踏み潰してしまう状態を少なくする。【解決手段】圃場の作物Ａを右側及び左側から挟持して圃場から持ち上げて、持ち上げた作物Ａを斜め上側の後側に搬送する右及び左の搬送体１１を有する収穫部３が備えられ、収穫部３の前部が側面視で走行装置２の前側に位置して圃場付近に位置し、収穫部３の後部が側面視で走行装置２の上側に位置するように、収穫部３が機体１の右部又は左部に前後方向に沿って支持される。収穫部３により収穫される圃場の作物Ａの列に隣接する収穫前の作物Ａが、収穫部３側の走行装置２の前側の領域に入り込むのを防止する入り込み防止部材７８が備えられる。【選択図】図１
2020000081.tif 000002
【特許請求の範囲】
【請求項１】
右及び左の走行装置により支持された機体と、
圃場の作物を右側及び左側から挟持して圃場から持ち上げて、持ち上げた作物を斜め上側の後側に搬送する右及び左の搬送体を有する収穫部とが備えられ、
前記収穫部の前部が側面視で前記走行装置の前側に位置して圃場付近に位置し、前記収穫部の後部が側面視で前記走行装置の上側に位置するように、前記収穫部が前記機体の右部又は左部に前後方向に沿って支持されて、
前記収穫部により収穫される圃場の作物の列に隣接する収穫前の作物が、前記収穫部側の前記走行装置の前側の領域に入り込むのを防止する入り込み防止部材が備えられている作物収穫機。
【請求項２】
前記収穫部が前記機体に昇降自在に支持されて、前記収穫部を昇降操作する昇降機構が備えられ、
前記入り込み防止部材が前記収穫部に取り付けられている請求項１に記載の作物収穫機。
【請求項３】
前記入り込み防止部材は、
前記収穫部の前部と前記収穫部側の前記走行装置とに亘って前後方向に沿って配置されて、前部が前記収穫部の前部に取り付けられた前後向き部分と、
前記前後向き部分の後部から上側に延出されて、上部が前記収穫部に取り付けられた上下向き部分とを有する請求項１又は２に記載の作物収穫機。
【請求項４】
前記機体における前記収穫部側の前記走行装置の上側の部分に取り付けられて、前記収穫部により収穫される圃場の作物の列に隣接する収穫前の作物が、前記収穫部側の前記走行装置に接触するのを防止する接触防止部材が備えられている請求項１〜３のうちのいずれか一項に記載の作物収穫機。
【発明の詳細な説明】
【技術分野】
【０００１】
本発明は、圃場の作物を収穫する作物収穫機に関する。
【背景技術】
【０００２】
作物収穫機の一例である枝豆収穫機では、特許文献１に開示されているような構成を備えたものがある。特許文献１では、右及び左のクローラ型式の走行装置により機体が支持され、圃場の作物を右側及び左側から挟持して圃場から持ち上げて、持ち上げた作物を斜め上側の後側に搬送する右及び左の搬送体を有する収穫部が備えられており、収穫部が機体の左部に前後方向に沿って支持されている。
【０００３】
これにより、圃場の作物の列に沿って機体を走行させて、収穫部により圃場の作物を収穫する。平面視で、収穫部の前部の後側に左の走行装置が位置し、収穫部により収穫される圃場の作物の列に対して左側に、収穫前の作物が隣接して存在しており、収穫部により収穫される圃場の作物の列に対して右側が、作物の収穫を終了した領域となる。
【先行技術文献】
【特許文献】
【０００４】
【特許文献１】特開２０００−２０１５１９号公報
【発明の概要】
【発明が解決しようとする課題】
【０００５】
特許文献１の作物収穫機によると、収穫部の前部の後側に左の走行装置が位置し、収穫部により収穫される圃場の作物の列に対して左側に、収穫前の作物が隣接して存在しているので、左の走行装置は、収獲前の作物の近傍を収獲前の作物に沿って走行する状態となっている。収穫部が機体の左部に前後方向に沿って支持されているので、収穫部の前部と左の走行装置との間が比較的空いた状態となっている。
【０００６】
これにより、収穫作業中において、収穫前の作物が左の走行装置の前側の領域に入り込む可能性があり、収穫前の作物が左の走行装置の前側の領域に入り込むと、左の走行装置により収穫前の作物を踏み潰してしまうことがあるので、改善の余地がある。
【０００７】
本発明は、作物収穫機において、走行装置により収穫前の作物を踏み潰してしまう状態を少なくすることを目的としている。
【課題を解決するための手段】
【０００８】
本発明の作物収穫機は、
右及び左の走行装置により支持された機体と、
圃場の作物を右側及び左側から挟持して圃場から持ち上げて、持ち上げた作物を斜め上側の後側に搬送する右及び左の搬送体を有する収穫部とが備えられ、
前記収穫部の前部が側面視で前記走行装置の前側に位置して圃場付近に位置し、前記収穫部の後部が側面視で前記走行装置の上側に位置するように、前記収穫部が前記機体の右部又は左部に前後方向に沿って支持されて、
前記収穫部により収穫される圃場の作物の列に隣接する収穫前の作物が、前記収穫部側の前記走行装置の前側の領域に入り込むのを防止する入り込み防止部材が備えられている。
【０００９】
本発明によると、収穫作業中において、収穫部により収穫される圃場の作物の列に隣接する収穫前の作物が、収穫部側の走行装置の前側の領域に入り込もうとしても、入り込み防止部材により防止される。
これにより、走行装置により収穫前の作物を踏み潰してしまう状態を少なくすることができて、作物収穫機の収穫性能の向上を図ることができる。
【００１０】
本発明において、
前記収穫部が前記機体に昇降自在に支持されて、前記収穫部を昇降操作する昇降機構が備えられ、
前記入り込み防止部材が前記収穫部に取り付けられていると好適である。
【００１１】
作物収穫機では、収穫部を機体に昇降自在に支持し、収穫部を昇降操作する昇降機構を備えて、収穫部を上昇操作することにより、圃場での旋回走行や路上走行を無理なく行えるようにすることがある。
【００１２】
本発明によると、収穫部を機体に昇降自在に支持し、収穫部を昇降操作する昇降機構を備えた場合、入り込み防止部材が収穫部に取り付けられているので、収穫部を上昇操作すると、入り込み防止部材も収穫部と一緒に上昇操作される。
これにより、圃場での旋回走行時や路上走行時に、入り込み防止部材を圃場や路面の突起物に接触させて破損してしまうような状態を避けることができる。
【００１３】
本発明において、
前記入り込み防止部材は、
前記収穫部の前部と前記収穫部側の前記走行装置とに亘って前後方向に沿って配置されて、前部が前記収穫部の前部に取り付けられた前後向き部分と、
前記前後向き部分の後部から上側に延出されて、上部が前記収穫部に取り付けられた上下向き部分とを有すると好適である。
【００１４】
本発明によると、収穫部の前部が走行装置の前側に位置して圃場付近に位置し、収穫部の後部が走行装置の上側に位置するように、収穫部は側面視で斜めに配置される。
入り込み防止部材が前後向き部分と上下向き部分とを有することにより、入り込み防止部材の前後向き部分に、収穫部側の走行装置の前側の領域への作物の入り込みを防止する機能を発揮させながら、入り込み防止部材を収穫部に無理なく取り付けることができる。
【００１５】
本発明において、
前記機体における前記収穫部側の前記走行装置の上側の部分に取り付けられて、前記収穫部により収穫される圃場の作物の列に隣接する収穫前の作物が、前記収穫部側の前記走行装置に接触するのを防止する接触防止部材が備えられていると好適である。
【００１６】
本発明によると、収穫部により収穫される圃場の作物の列に隣接する収穫前の作物が、機体の進行に伴って入り込み防止部材から後側に離れた後、収穫部側の走行装置の横部分に接触しようとしても、接触防止部材により防止される。
これにより、収穫前の作物が走行措置の横部分に接触して傷められる状態を少なくすることができて、作物収穫機の収穫性能の向上を図ることができる。
【図面の簡単な説明】
【００１７】
【図１】枝豆収穫機の左側面図である。
【図２】枝豆収穫機の平面図である。
【図３】収穫部の後部及び分離部の付近の横断平面図である。
【図４】収穫部の平面図である。
【図５】下降操作された状態の収穫部の付近の左側面図である。
【図６】上昇操作された状態の収穫部の付近の左側面図である。
【図７】収穫部の付近を斜め後側から見た斜視図である。
【図８】第１搬送体の搬送終端部及び第２搬送体の搬送始端部、姿勢変更部、防塵カバーの付近の左側面図である。
【図９】第１搬送体の搬送終端部及び第２搬送体の搬送始端部、姿勢変更部の付近の平面図である。
【図１０】第１搬送体及び姿勢変更部の伝動系を示す縦断背面図である。
【図１１】エンジンから各部への伝動系を示す概略図である。
【図１２】収穫作業の形態を示す平面図である。
【図１３】収穫作業の形態を示す平面図である。
【発明を実施するための形態】
【００１８】
図１〜図１３に、作物収穫機の一例である枝豆収穫機が示されている。
図１〜図１３において、Ｆは機体１の「前方向」を示し、Ｂは機体１の「後方向」を示し、Ｕは機体１の「上方向」を示し、Ｄは機体１の「下方向」を示している。Ｒは機体１の「右方向」を示し、Ｌは機体１の「左方向」を示している。
【００１９】
（枝豆収穫機の全体構成）
図１及び図２に示すように、右及び左のクローラ型式の走行装置２により、機体１が支持されており、機体１の前部の左部に収穫部３が設けられ、機体１の前部の右部に運転部４が設けられている。機体１の後部に分離部５が設けられ、機体１の右部に支持台６及び作業デッキ７が設けられている。
【００２０】
（枝豆収穫機における収穫の流れの概要）
図１及び図２に示すように、収穫部３に、斜め向きの上下方向に沿った軸芯Ｐ１，Ｐ２周りに回転駆動される右及び左の第１搬送体１１（搬送体に相当）が備えられている。
【００２１】
機体１の前進に伴って、収穫部３において右及び左の第１搬送体１１により、圃場の起立姿勢の作物Ａが右側及び左側から挟持されて、右及び左の第１搬送体１１により作物Ａが引き抜かれ持ち上げられて、作物Ａが起立姿勢に維持されながら収穫部に３に沿って斜め上側の後側に搬送される。
【００２２】
分離部５の左側に、左右方向の軸芯周りに回転駆動される第２搬送体１２が、第１搬送体１１の搬送終端部１１ｂから後側に延出されており、第２搬送体１２に沿ってガイドレール１３が配置されている。
【００２３】
作物Ａが第１搬送体１１の搬送終端部１１ｂに達すると、第１搬送体１１の搬送終端部１１ｂから第２搬送体１２の搬送始端部１２ａへの受け渡し部分において、起立姿勢の作物Ａが分離部５側の横倒れ姿勢に姿勢変更されて、第２搬送体１２の搬送始端部１２ａに受け渡される。横倒れ姿勢の作物Ａの株元Ａ１が、第２搬送体１２とガイドレール１３との間に挟持（保持）され、第２搬送体１２により作物Ａが後側に搬送される。
【００２４】
図１，２，３に示すように、分離部５に、左右方向の軸芯周りに回転駆動される上下２組の回転体８及び上下２組の回転体９と、回転体８，９の下側に前後方向に沿って配置された回収コンベア１０と、回収コンベア１０の後部の下側に左右方向に沿って配置された搬送コンベア１４と、回収コンベア１０の後部から後側に所定間隔を開けて配置された排出コンベア１５と、回収コンベア１０の下側に配置された唐箕１６とが設けられている。
【００２５】
第２搬送体１２により横倒れ姿勢の作物Ａが後側に搬送されると、作物Ａは先ず上側及び下側の回転体８の間を通るのであり、回転体８の回転により作物Ａから実Ａ２が分離され、分離された実Ａ２が回収コンベア１０に落下する。
【００２６】
作物Ａは次に上側及び下側の回転体９の間を通るのであり、回転体９の回転により作物Ａから実Ａ２が分離され、分離された実Ａ２が回収コンベア１０に落下する。実Ａ２が分離された作物Ａは、第２搬送体１２の搬送終端部１２ｂから圃場に放出される。回転体８，９により作物Ａから実Ａ２が分離される際、葉等の屑も一緒に回収コンベア１０に落下する。
【００２７】
回収コンベア１０が後側に向けて回転駆動されており、回収コンベア１０に落下した実Ａ２及び屑は、回収コンベア１０により後側に搬送され、回収コンベア１０の後部から搬送コンベア１４に落下する。
【００２８】
唐箕１６の搬送風が回収コンベア１０の下側から後側に流れ、回収コンベア１０と排出コンベア１５との間を通って、排出コンベア１５の上側を後側に流れている。
実Ａ２及び屑が回収コンベア１０の後部から落下する際に、実Ａ２は唐箕１６の搬送風に抗して搬送コンベア１４に落下する。屑は唐箕１６の搬送風により飛ばされて排出コンベア１５に乗るのであり、排出コンベア１５に乗った屑が、排出コンベア１５により後側に搬送されて圃場に放出される。
【００２９】
搬送コンベア１４は支持台６側に向けて回転駆動されており、多数の回収箱１７が支持台６に乗せられている。搬送コンベア１４に落下した実Ａ２は、搬送コンベア１４により支持台６側に搬送されて、搬送コンベア１４の搬送終端部に位置する回収箱１７に投入される。作業デッキ７の補助作業者は、搬送コンベア１４の搬送終端部に位置する回収箱１７が満杯になると、空の回収箱１７と入れ換える。
【００３０】
（圃場での収穫作業の形態）
図１２及び図１３に示すように、圃場において、作物Ａが多数の列Ｌ１〜Ｌ５なるように植え付けられている。
【００３１】
前述の状態において、作物Ａの列Ｌ１〜Ｌ５うち、端部の作物Ａの列Ｌ１に沿って機体１を前進させて、収穫部３により列Ｌ１の作物Ａを収穫する（位置Ｋ１参照）。この場合に、機体１の右側が作物Ａの収穫を終了した領域（作物Ａが存在しない領域）となり、機体１の左側に収穫前の作物Ａが存在する領域となる。
【００３２】
列Ｌ１の作物Ａの収穫を終了して機体１が位置Ｋ２に達すると、収穫部３を上昇操作して、旋回走行Ｍ１を行い、機体１を反対側の作物Ａの列Ｌ２の位置Ｋ３に位置させる。位置Ｋ３において収穫部３を下降操作し、作物Ａの列Ｌ２に沿って機体１を前進させて、収穫部３により列Ｌ２の作物Ａを収穫する。
この場合も前述と同様に、機体１の右側が作物Ａの収穫を終了した領域（作物Ａが存在しない領域）となり、機体１の左側に収穫前の作物Ａが存在する領域となる。
【００３３】
列Ｌ２の作物Ａの収穫を終了して機体１が位置Ｋ４に達すると、収穫部３を上昇操作して、旋回走行Ｍ２を行い、機体１を反対側の作物Ａの列Ｌ３の位置Ｋ５に位置させる。位置Ｋ５において収穫部３を下降操作し、作物Ａの列Ｌ３に沿って機体１を前進させて、収穫部３により列Ｌ３の作物Ａを収穫する。
【００３４】
以上のようにして列Ｌ３の作物Ａの収穫を行い、次に旋回走行Ｍ１を行って列Ｌ４の作物Ａの収穫を行い、次に旋回走行Ｍ２を行って列Ｌ５の作物Ａの収穫を行うというようにして、旋回走行Ｍ１，Ｍ２と、Ｌ１〜Ｌ５の作物Ａの収穫とを繰り返すことによって、圃場の作物Ａを収穫する。
【００３５】
（収穫部の構成）
図４，５，７に示すように、収穫部３において、右及び左の直線状の支持フレーム４３が設けられている。右及び左の支持フレーム４３に、右及び左のフレーム２８，２９が下向きに連結されており、右及び左のフレーム２８，２９の下部に亘って、支持フレーム３０，４４が左右方向に沿って連結されている。
【００３６】
右及び左の支持フレーム４３の後部の下部に、右及び左の支持フレーム３１が下向きに連結されて、右及び左の支持フレーム３１の下部に亘って、支持フレーム３３が左右方向に沿って連結されている。支持フレーム３０の右部及び左部と、支持フレーム３３の右部及び左部とに亘って、右及び左の支持フレーム３４が支持フレーム４３に沿って連結されている。以上のようにして、収穫部３の骨格が構成されている。
【００３７】
右及び左の支持フレーム４３の前部において、斜め向きの上下方向に沿った軸芯Ｐ１周りに、右及び左の従動プーリー４５が回転自在に支持されている。右及び左の支持フレーム４３の後部において、斜め向きの上下方向に沿った軸芯Ｐ２周りに、右及び左の駆動プーリー４６が回転自在に支持されている。この場合、軸芯Ｐ１と軸芯Ｐ２とは、互いに平行である。
【００３８】
右の従動プーリー４５及び右の駆動プーリー４６に亘って、ゴムベルト製の右の第１搬送体１１が取り付けられている。左の従動プーリー４５及び左の駆動プーリー４６に亘って、ゴムベルト製の左の第１搬送体１１が取り付けられている。右及び左の第１搬送体１１が、支持フレーム４３の全長に亘って合わせられている。
【００３９】
支持フレーム４３に、多数のローラー４７が回転自在に支持されており、ローラー４７により第１搬送体１１の合わせ部分（作物Ａの挟持部分）の反対側が支持されている。右及び左の支持フレーム４３の前部に、右及び左のデバイダ４８、サブソイラ４９が取り付けられている。
【００４０】
右及び左の支持フレーム４３が左右方向で等間隔を維持して、支持フレーム４３の前部が下側で、支持フレーム４３の後部が上側となるように、側面視で斜めの姿勢で、支持フレーム４３が、機体１の前部の左部に前後方向に沿って支持されている。
【００４１】
第１搬送体１１において、従動プーリー４５の付近が搬送始端部１１ａであり、駆動プーリー４６の付近が搬送終端部１１ｂである。これによって、右及び左の第１搬送体１１が、第１搬送体１１の搬送始端部１１ａから搬送終端部１１ｂに亘って、捩じられることなく、直線的に斜め上側の後側に向けて延出されている。
【００４２】
（収穫部の昇降構造）
図３，７，８，１０に示すように、機体１の前部の左部に、４本の支柱３５が連結されている。支柱３５の上部に亘って、前後方向の右及び左の支持フレーム３６が連結され、支柱３５の下部に亘って、左右方向の右及び左の支持フレーム３７が連結されている。
【００４３】
右及び左の支持フレーム３６に、パイプ状の右及び左の揺動支持部３８が連結されている。右及び左の揺動支持部３８は、左右方向の支持軸芯Ｐ１１に沿って配置されており、互いに間隔を開けて配置されている。
【００４４】
図４及び図５に示すように、右の支持フレーム４３の後部に、収穫部３の右の後部である支持板３９が連結されて、支持板３９の上部に、鋳物のケース状の右の揺動支点部５０が連結されて上側に延出されている。
【００４５】
左の支持フレーム４３の後部に、収穫部３の左の後部である支持板４０が連結されて、支持板４０の上部に、鋳物のケース状の左の揺動支点部５１が連結されて上側に延出されている。
【００４６】
図４及び図５に示すように、右及び左の揺動支点部５０，５１に、横向きのボス部５０ａ，５１ａが設けられており、図３，７，１０に示すように、右及び左の揺動支点部５０，５１のボス部５０ａ，５１ａが、右及び左の揺動支持部３８に回転自在に支持されている。
【００４７】
これにより、収穫部３（右及び左の揺動支点部５０，５１）が、右及び左の揺動支持部３８によって、収穫部３の後部（第１搬送体１１の搬送終端部１１ｂ）から上側に離れた左右方向の支持軸芯Ｐ１１周りに、上下に揺動自在（昇降自在）に支持されている。
右の揺動支点部５０及び右の揺動支持部３８と、左の揺動支点部５１と左の揺動支持部３８との間に、作物Ａが通過する通路Ｃが設けられている。
【００４８】
図５及び図７に示すように、収穫部３において、支持フレーム３０の左右中央部にブラケット３０ａが連結されており、機体１の前部と支持フレーム３０のブラケット３０ａとに亘って、油圧シリンダ４１（昇降機構に相当）が接続されている。
【００４９】
図６に示すように、油圧シリンダ４１を伸長作動させると、収穫部３を上昇操作することができ、図５に示すように、油圧シリンダ４１を収縮作動させると、収穫部３を下降操作することができる。
【００５０】
（負荷支持部の構成）
図５，６，７に示すように、負荷支持部７２が、機体１における収穫部３の後部（揺動支点部５０，５１）の下側の部分と、収穫部３とに亘って接続されている。負荷支持部７２において、第１支持部材７３と第２支持部材７４とが備えられている。
【００５１】
第１支持部材７３は右側と左側の２組が備えられており、機体１の前部の左右方向の軸芯Ｐ３周りに上下に揺動自在に支持されて、前側に延出されている。右及び左の第１支持部材７３の複数箇所に亘って、左右方向に沿ったフレーム７５が連結されている。
【００５２】
第２支持部材７４は、正面視で四角形状の平板状であり、第２支持部材７４の下部が、第１支持部材７３の前部の左右方向の軸芯Ｐ４周りに揺動自在に支持されている。第２支持部材７４の上部が、収穫部３の右及び左のフレーム２９の左右方向の軸芯Ｐ５周りに揺動自在に接続されている。
【００５３】
前述の（収穫部の昇降構造）に記載のように、収穫部３を昇降操作する場合、負荷支持部７２において、第１支持部材７３及び第２支持部材７４が、軸芯Ｐ３，Ｐ４，Ｐ５周りに揺動することによって、収穫部３の昇降操作が許容される。
【００５４】
収穫部３に左右方向の負荷が掛かる場合、収穫部３に左右方向に掛かる負荷が負荷支持部７２によって支持されるのであり、収穫部３に左右方向に掛かる負荷が、収穫部３の揺動支点部５０，５１や揺動支持部３８に掛かる状態を避けることができる。
【００５５】
（収穫部への伝動系の構成）
図２及び図１１に示すように、運転部４の下部に、エンジン１８が支持されている。エンジン１８の動力が、伝動ベルト２７から、第２搬送体１２の駆動機構３２、分離部５の回転体８，９、回収コンベア１０、搬送コンベア１４、排出コンベア１５及び唐箕１６に伝達されている。
【００５６】
機体１の前部の左右中央にミッションケース１９が支持されており、静油圧式の無段変速装置２０がミッションケース１９に連結されている。エンジン１８の動力が、伝動ベルト２１を介して無段変速装置２０の入力軸に伝達されて、無段変速装置２０の動力が、ミッションケース１９の内部の副変速装置（図示せず）等を介して、走行装置２に伝達される。
【００５７】
無段変速装置２０の動力が、ギヤ伝動機構２２、伝動ベルト２３、伝動軸２４及び伝動ベルト２５を介して、伝動軸２６に伝達される。
図７，８，１０に示すように、支柱３５の下部に、右及び左の支持フレーム４２が前後方向に沿って連結されており、伝動軸２６が右及び左の支持フレーム４２に左右方向に沿って支持されている。
【００５８】
図３，１０，１１に示すように、揺動支点部５０，５１に、駆動軸５２が軸芯Ｐ２に沿って支持されて、駆動軸５２の下部に駆動プーリー４６が連結されている。揺動支点部５０，５１において、支持軸芯Ｐ１１の位置に伝動軸５３が横向きに支持されており、駆動軸５２のベベルギヤ５２ａと、伝動軸５３のベベルギヤ５３ａとが咬合している。伝動軸２６のプーリー２６ａと、伝動軸５３のプーリー５３ｂとに亘って、伝動ベルト５４が取り付けられている。
【００５９】
以上の構成により、伝動軸２６の動力が、伝動ベルト５４及び伝動軸５３を介して駆動軸５２に伝達されて、右の駆動軸５２（右の駆動プーリー４６）が回転駆動されて、右の第１搬送体１１が図２及び図３の反時計方向に回転駆動される。左の駆動軸５２（左の駆動プーリー４６）が回転駆動されて、左の第１搬送体１１が図２及び図３の時計方向に回転駆動される。
【００６０】
（入り込み防止部材の構成）
図１，２，５，７に示すように、入り込み防止部材７８が収穫部３に取り付けられている。入り込み防止部材７８は、丸棒状に形成されて、前後向き部分７８ａと上下向き部分７８ｂとが備えられている。
【００６１】
入り込み防止部材７８の前後向き部分７８ａの前部が、収穫部３の前部である左のフレーム２８に取り付けられており、入り込み防止部材７８の前後向き部分７８ａが、収穫部３の前部の左部と、収穫部３側である左の走行装置２の前部付近とに亘って、前後方向に沿って配置されている。
【００６２】
入り込み防止部材７８の上下向き部分７８ｂは、入り込み防止部材７８の前後向き部分７８ａの後部から上側に延出されており、入り込み防止部材７８の上下向き部分７８ｂの上部が、収穫部３の後部である支持フレーム３３の左部に取り付けられている。
【００６３】
入り込み防止部材７８（前後向き部分７８ａ及び上下向き部分７８ｂ）が、平面視で負荷支持部７２（第１支持部材７３及び第２支持部材７４）の外側（左側）に位置し、側面視で負荷支持部７２（第１支持部材７３及び第２支持部材７４）と交差する状態となっている。
【００６４】
（接触防止部材の構成）
図１，２，５，７に示すように、機体１の左の横部の前部及び後部（機体１における収穫部３側の走行装置２の上側の部分に相当）に、接触防止部材７９，８０が取り付けられている。
【００６５】
前の接触防止部材７９は、丸棒状に形成されており、前の接触防止部材７９の前部は機体１の左の横部の前部に連結されている。前の接触防止部材７９の前部が、入り込み防止部材７８の上下向き部分７８ｂよりも内側（右側）に位置しており、前の接触防止部材７９が斜め左の横側の後側に延出されている。前の接触防止部材７９の後部が、平面視で入り込み防止部材７８の上下向き部分７８ｂよりも外側（左側）に位置している。
【００６６】
後の接触防止部材８０は、平面視で長方形状の枠状に形成されて、機体１の左の横部の後部に連結されており、後の接触防止部材８０に作業者が立って乗ることができる。
後の接触防止部材８０は、平面視で入り込み防止部材７８の上下向き部分７８ｂよりも外側（左側）に出ており、前の接触防止部材７９の後部が、後の接触防止部材８０の前部に接続されている。
【００６７】
（入り込み防止部材及び接触防止部材の機能）
前述の（圃場での収穫作業の形態）、図１２及び図１３に示すように、作物Ａの列Ｌ１〜Ｌ５に沿って機体１を前進させて、収穫部３により列Ｌ１〜Ｌ５の作物Ａを収穫する場合、機体１の右側が作物Ａの収穫を終了した領域（作物Ａが存在しない領域）となり、機体１の左側に収穫前の作物Ａが存在する領域となる。
【００６８】
作物Ａの列Ｌ１を例にすると、図１３に示すように、平面視で、収穫部３の前部の後側に左の走行装置２が位置し、収穫部３により収穫される作物Ａの列Ｌ１に対して左側に、収穫前の作物Ａの列Ｌ３が隣接して存在しており、左の走行装置２は、収獲前の作物Ａの列Ｌ３の近傍を、収獲前の作物Ａの列Ｌ３に沿って走行する状態となる。
【００６９】
図１及び図５に示すように、収穫部３の前部が圃場に接する位置まで、収穫部３を下降操作した状態において、収穫部３の前部が側面視で左の走行装置２の前側に位置して圃場付近に位置し、収穫部３の後部が側面視で左の走行装置２の上側に位置するように、収穫部３が機体１の左部に前後方向に沿って支持された状態となる。
【００７０】
以上の状態において、収穫前の作物Ａ（列Ｌ３）が、左の走行装置２の前側の領域（収穫部３の前部と左の走行装置２の前部との間の領域）に入り込もうとしても、入り込み防止部材７８（前後向き部分７８ａ）により収穫前の作物Ａ（列Ｌ３）が止められて、収穫前の作物Ａ（列Ｌ３）における左の走行装置２の前側の領域への入り込みが防止される。
【００７１】
次に収穫前の作物Ａ（列Ｌ３）は、左の走行装置２の前側の領域を通過すると、左の走行装置２の横側に達する。収穫前の作物Ａ（列Ｌ３）が左の走行装置２に接触しようとしても、前及び後の接触防止部材７９，８０によって収穫前の作物Ａ（列Ｌ３）が止められて、収穫前の作物Ａ（列Ｌ３）の左の走行装置２との接触が防止される。
【００７２】
（第２搬送体の構成）
図１，２，３に示すように、機体１の左部に駆動機構３２が支持されて、駆動機構３２に、左右方向の軸芯周りに回転駆動される駆動スプロケット３２ａが備えられている。機体１の左部の前部に、回転輪５５，５６が左右方向の軸芯周りに回転自在に支持され、機体１の左部の後部に、回転輪５７が左右方向の軸芯周りに回転自在に支持されている。
【００７３】
駆動機構３２の駆動スプロケット３２ａ及び回転輪５５，５６，５７に亘って、第２搬送体１２が取り付けられている。第２搬送体１２は、金属製のチェーンであり、外側に向けて、側面視で三角形状の凸部が備えられている。駆動機構３２の駆動スプロケット３２ａにより、第２搬送体１２が図１の時計方向に回転駆動される。
【００７４】
第２搬送体１２は、第１搬送体１１の搬送終端部１１ｂから後側に延出されて、機体１の左部に前後方向に沿って配置されており、第２搬送体１２の右側に分離部５が配置されている。第２搬送体１２において、回転輪５５と回転輪５６との間の部分が搬送始端部１２ａであり、回転輪５７の付近が搬送終端部１２ｂである。
【００７５】
図１及び図８に示すように、第２搬送体１２の搬送始端部１２ａの前部分（回転輪５５の部分）が、第２搬送体１２の搬送始端部１２ａの後部分（回転輪５６の部分）よりも下側の位置に配置されて、第２搬送体１２の搬送始端部１２ａが、第１搬送体１１の搬送終端部１１ｂに沿って斜め上向きの傾斜姿勢に配置されている。
第２搬送体１２の搬送始端部１２ａの後部分（回転輪５６の部分）から搬送終端部１２ｂに亘る部分が、側面視で略水平姿勢に配置されている。
【００７６】
（ガイドレールの構成）
図１及び図８に示すように、機体１の左部の上部に、前後方向に沿って支持フレーム５８が支持されており、支持フレーム５８に、多数の支持ロッド５９が上下動自在に支持されている。
【００７７】
ガイドレール１３は、短いチャンネル状部材が、開放側を下向きにして前後方向に沿って一列状に配置され、隣接する前後のチャンネル状部材が、上下方向に曲がるようにピンにより互いに接続されている。
【００７８】
ガイドレール１３が、第２搬送体１２の上側に沿って後側に延出されている。支持ロッド５９の下部に、ガイドレール１３のチャンネル状部材を接続する前述のピンが支持されており、ガイドレール１３（チャンネル状部材）が上下動自在に支持されている。支持ロッド５９を下側に付勢するバネ６０が備えられて、ガイドレール１３が第２搬送体１２に押圧されている。
【００７９】
ガイドレール１３において、第２搬送体１２の搬送始端部１２ａ側の先頭のチャンネル状部材が搬送始端部１３ａである。ガイドレール１３の搬送始端部１３ａが、第２搬送体１２の搬送始端部１２ａの後部分（回転輪５６の部分）よりも少し後側に位置している。
【００８０】
以上の構成により、後述の（第１搬送体の搬送終端部から第２搬送部の搬送始端部への受け渡し部分における作物の状態）に記載のように、作物Ａの株元Ａ１が第２搬送体１２とガイドレール１３との間に挟持されると、作物Ａの株元Ａ１により、ガイドレール１３が折れ曲がるようにして上側に持ち上げられるのであり、バネ６０の付勢力によって第２搬送体１２とガイドレール１３との間に、作物Ａの株元Ａ１が十分な挟持力によって挟持される。
【００８１】
丸棒材により構成された案内部材６１が、ガイドレール１３の搬送始端部１３ａに取り付けられている。案内部材６１は、第２搬送体１２に沿って前向きに延出されており、第２搬送体１２の搬送始端部１２ａの後部分（回転輪５６の部分）から、側面視で斜め上向きの前向きに延出されている。案内部材６１がガイドレール１３の搬送始端部１３ａに取り付けられていることによって、案内部材６１はガイドレール１３の搬送始端部１３ａと一体で上下動する。
【００８２】
（第１搬送体、第２搬送体及びガイドレールの位置関係）
図１に示すように、収穫部３の前部が圃場に接する位置まで、収穫部３を下降操作した状態において、収穫部３は側面視で前部（第１搬送体１１の搬送始端部１１ａ）が低く、後部（第１搬送体１１の搬送終端部１１ｂ）が高い斜めの姿勢に配置される。
【００８３】
この状態において図８及び図９に示すように、第１搬送体１１の搬送終端部１１ｂと第２搬送体１２の搬送始端部１２ａとが、平面視で重複して配置されており、第２搬送体１２の搬送始端部１２ａが、側面視で第１搬送体１１の搬送終端部１１ｂの下側の位置に配置されている。
【００８４】
右及び左の第１搬送体１１の互いに対向して接触する部分から第１搬送体１１の搬送方向に沿って延出された仮想線Ｂ１に対して、平面視で第２搬送体１２（搬送始端部１２ａ）の左右中央部１２ｃが、分離部５に近い側（右側）の位置に変位するように、第２搬送体１２が配置されている。
【００８５】
第２搬送体１２の搬送始端部１２ａの後部分（回転輪５６の部分）が、側面視で、第１搬送体１１の搬送終端部１１ｂの後側の位置に配置されている。案内部材６１及びガイドレール１３の搬送始端部１３ａが、側面視で、第１搬送体１１の搬送終端部１１ｂの後側の位置に配置されている。
【００８６】
第１搬送体１１の搬送終端部１１ｂが、側面視で案内部材６１の前端部と、第２搬送体１２の搬送始端部１２ａとの間に入り込む状態となっており、案内部材６１の前端部が側面視で第１搬送体１１の搬送終端部１１ｂの上側の位置に配置されている。
【００８７】
以上のように、収穫部３の前部が圃場に接する位置まで、収穫部３を下降操作した状態において、第１搬送体１１の搬送終端部１１ｂと第２搬送体１２の搬送始端部１２ａとの位置関係が、適正なものに設定されている。
【００８８】
前述の状態において、収穫部３を上昇操作すると、収穫部３の後部から上側に離れた支持軸芯Ｐ１１周りに、収穫部３が上側に揺動することにより、収穫部３の後部（第１搬送体の搬送終端部）が、第２搬送体１２の搬送始端部１２ａから前側に離れる状態となる。
【００８９】
収穫部３を下降操作すると、収穫部３の後部から上側に離れた支持軸芯Ｐ１１周りに、収穫部３が下側に揺動することにより、収穫部３の後部（第１搬送体１１の搬送終端部１１ｂ）が、後側に移動して第２搬送体１２の搬送始端部１２ａに接近し、第１搬送体１１の搬送終端部１１ｂと第２搬送体１２の搬送始端部１２ａとが、図８に示す適正な位置関係に戻る。
【００９０】
（姿勢変更部の構成）
図１及び図２に示すように、第１搬送体１１の搬送終端部１１ｂ（揺動支点部５１）の上部に、姿勢変更部６２が連結されている。
【００９１】
図８及び図９に示すように、姿勢変更部６２に、ガイド部６３、無端回動体６４及び爪体６５が備えられている。
ガイド部６３は、上側及び下側の２組備えられており、第１搬送体１１の搬送終端部１１ｂ（揺動支点部５１）から第２搬送体１２の搬送始端部１２ａに向けて、平面視で分離部５に近い側（右側）に斜めに傾斜して配置されている。ガイド部６３において、分離部５に近い側（右側）の辺部が、案内部６３ａとなる。
【００９２】
図９，１０，１１に示すように、ガイド部６３における軸芯Ｐ２の位置に伝動軸６６が回転自在に支持されており、揺動支点部５１において駆動軸５２が上側に延出され、駆動軸５２と伝動軸６６とが連結部材６７を介して連結されている。
【００９３】
上及び下のガイド部６３の間に、駆動スプロケット６８が回転自在に支持されており、伝動軸６６のスプロケット６６ａと駆動スプロケット６８とに亘って、伝動チェーン６９が取り付けられている。
【００９４】
上及び下のガイド部６３の間に、従動スプロケット７０が回転自在に支持され、伝動軸６６に、従動スプロケット７１が相対回転自在に外嵌されている。上及び下のガイド部６３の間において、チェーン状の無端回動体６４が、駆動スプロケット６８及び従動スプロケット７０，７１に亘って取り付けられている。
【００９５】
これにより、駆動軸５２の動力が、伝動軸６６及び伝動チェーン６９を介して駆動スプロケット６８に伝達され、駆動スプロケット６８が回転駆動されて、無端回動体６４が図９の時計方向に回転駆動される。
【００９６】
爪体６５は、無端回動体６４の移動方向に沿って所定間隔を開けて無端回動体６４に取り付けられている。爪体６５は、無端回動体６４から外側に突出する作用姿勢、及び無端回動体６４に沿うように倒れる非作用姿勢に姿勢変更自在に、無端回動体６４に取り付けられている。
【００９７】
爪体６５が無端回動体６４と一体で図９の時計方向に回転駆動される場合、爪体６５が駆動スプロケット６８に達すると、爪体６５は非作用姿勢に操作され、駆動スプロケット６８から従動スプロケット７０を少し過ぎる付近から作用姿勢に操作される。
爪体６５は、従動スプロケット７０を少し過ぎて作用姿勢に操作されると、作用姿勢に維持されながら従動スプロケット７１から駆動スプロケット６８に移動し、駆動スプロケット６８に達すると非作用姿勢に操作される。
【００９８】
（姿勢変更部と第１搬送体及び第２搬送体、ガイドレールとの位置関係）
図１に示すように、収穫部３の前部が圃場に接する位置まで、収穫部３を下降操作した状態において、図８及び図９に示すように、姿勢変更部６２は、側面視で第１搬送体１１の搬送終端部１１ｂ（揺動支点部５１）の上側の位置と、第１搬送体１１の搬送終端部１１ｂ（揺動支点部５１）から後側に離れた位置とに亘って配置されている。
【００９９】
この状態において、姿勢変更部６２は、第１搬送体１１の搬送終端部１１ｂ（揺動支点部５１）の上側の位置から、側面視で斜め上向きに配置されており、平面視で第２搬送体１２の搬送始端部１２ａ及びガイドレール１３（支持フレーム５８）と重複している。
【０１００】
姿勢変更部６２においてガイド部６３の案内部６３ａは、第１搬送体１１の搬送終端部１１ｂ（揺動支点部５１）から第２搬送体１２の搬送始端部１２ａに向けて、平面視で斜めに分離部５に近い側（右側）に傾斜して配置されている。
【０１０１】
姿勢変更部６２において無端回動体６４は、上下方向に沿った軸芯周りに回転駆動されて、ガイド部６３の案内部６３ａに沿って、第１搬送体１１の搬送終端部１１ｂ（揺動支点部５１）側から、第２搬送体１２の搬送始端部１２ａ側に、駆動スプロケット６８の位置まで移動する状態となっている。
【０１０２】
以上のように、収穫部３の前部が圃場に接する位置まで、収穫部３を下降操作した状態において、姿勢変更部６２と、第２搬送体１２の搬送始端部１２ａ及びガイドレール１３（支持フレーム５８）との位置関係が、適正なものに設定されている。
【０１０３】
前述の状態において、収穫部３を上昇操作すると、収穫部３の後部から上側に離れた支持軸芯Ｐ１１周りに、収穫部３が上側に揺動することにより、姿勢変更部６２が後側の斜め下側に移動して、支持フレーム５８に沿って支持フレーム５８の上側に位置する状態となる。
【０１０４】
収穫部３を下降操作すると、収穫部３の後部から上側に離れた支持軸芯Ｐ１１周りに、収穫部３が下側に揺動することにより、姿勢変更部６２が前側の斜め上側に移動して、姿勢変更部６２と、第２搬送体１２の搬送始端部１２ａ及びガイドレール１３（支持フレーム５８）とが、図８に示す適正な位置関係に戻る。
【０１０５】
（株元支持部、株元ガイド部、茎部ガイド部、上部ガイド部、後部ガイド部及び防塵カバーの構成）
図３及び図８に示すように、第２搬送体１２の搬送始端部１２ａに対して、平面視で分離部５から遠い側（左側）の位置に、作物Ａの株元Ａ１を下側から受け止めて後側に案内する平板状の株元支持部７６が配置されている。株元支持部７６は、第２搬送体１２の搬送始端部１２ａの後部分（回転輪５６の部分）から、第２搬送体１２の搬送始端部１２ａに沿って斜め下向きの前側に延出されている。
【０１０６】
図１及び図８に示すように、第２搬送体１２の搬送始端部１２ａにおいて、第２搬送体１２における分離部５から遠い側（左側）の側面に沿って、丸棒状の株元ガイド部７７が配置されている。株元ガイド部７７は、作物Ａの株元Ａ１が第２搬送体１２の搬送始端部１２ａから離れるのを防止する。
【０１０７】
図８及び図９に示すように、側面視で第１搬送体１１の搬送終端部１１ｂと姿勢変更部６２との間の位置に、丸棒状の茎部ガイド部８１が設けられている。茎部ガイド部８１は作物Ａの茎部を第２搬送体１２の搬送始端部１２ａ側（右側）に案内する。
【０１０８】
側面視で姿勢変更部６２の上側の位置に、作物Ａの上部を第２搬送体１２の搬送始端部１２ａ側に案内する平板状の上部ガイド部８２が備えられている。
【０１０９】
支持フレーム５８の前端部に、後部ガイド部８３が連結されている。後部ガイド部８３は、平板状に形成されており、平面視で左の第１搬送体１１の搬送終端部１１ｂ側（左側）に向くように、斜め姿勢に設定されている。
【０１１０】
姿勢変更部６２の右側に位置するように、防塵カバー８４が機体１に取り付けられている。防塵カバー８４は板材により箱状に形成されており、防塵カバー８４の左部（姿勢変更部６２側の部分）に、開口部８４ａが開口されている。
【０１１１】
（第１搬送体の搬送終端部から第２搬送体の搬送始端部への受け渡し部分における作物の状態）
第１搬送体１１の搬送終端部１１ｂから第２搬送体１２の搬送始端部１２ａへの受け渡し部分において、起立姿勢の作物Ａが横倒れ姿勢に姿勢変更されるのであり、第１搬送体１１の搬送終端部１１ｂから横倒れ姿勢に姿勢変更された作物Ａの株元Ａ１が、第２搬送体１２とガイドレール１３との間に挟持される。
前述の状態での作物Ａの流れについて、以下のように説明する。
【０１１２】
図１及び図２に示すように、収穫部３において、デバイダ４８が圃場に接して、サブソイラ４９が圃場に入り込んだ状態で、機体１を前進させると、圃場の作物Ａがデバイダ４８により分けられ、サブソイラ４９により圃場が崩されながら、圃場の起立姿勢の作物Ａが右及び左の第１搬送体１１の搬送始端部１１ａに入る。
【０１１３】
右及び左の第１搬送体１１により、圃場の起立姿勢の作物Ａが右側及び左側から挟持されて、右及び左の第１搬送体１１により作物Ａが引き抜かれ持ち上げられて、作物Ａが起立姿勢に維持されながら収穫部に３に沿って斜め上側の後側に搬送される。
【０１１４】
図３，８，９に示すように、起立姿勢の作物Ａが第１搬送体１１の搬送終端部１１ｂに達すると、作物Ａの株元Ａ１が株元支持部７６により下側から受け止められながら、作物Ａの株元Ａ１が、第２搬送体１２の搬送始端部１２ａと株元ガイド部７７との間に入り、第２搬送体１２の搬送始端部１２ａに案内される。
【０１１５】
次に、右及び左の第１搬送体１１により作物Ａが挟持された状態において、作物Ａの株元Ａ１が、第２搬送体１２の搬送始端部１２ａと株元ガイド部７７との間に挟持されて、第２搬送体１２の搬送始端部１２ａに接触する状態となり、作物Ａの株元Ａ１が株元支持部７６により下側から受け止められる状態となる。
【０１１６】
右及び左の第１搬送体１１により作物Ａが挟持された状態において、作物Ａの茎部が、茎部ガイド部８１に接触して、第２搬送体１２の搬送始端部１２ａ側（右側）に案内される。
姿勢変更部６２の爪体６５（無端回動体６４）の回転により、作物Ａの上部が爪体６５の間に入り込むのであり、上部ガイド部８２が作物Ａの上部に接触する。
【０１１７】
これにより、右及び左の第１搬送体１１により作物Ａが後側（第２搬送体１２側）に搬送され、第２搬送体１２の搬送始端部１２ａによって作物Ａの株元Ａ１が搬送される状態となり、作物Ａの株元Ａ１が少し横倒れ姿勢となる。
第１搬送体１１の搬送終端部１１ｂにおいて、右の揺動支点部５０及び右の揺動支持部３８と左の揺動支点部５１と左の揺動支持部３８との間の通路Ｃ（図７及び図１０参照）を、作物Ａが通過する。
【０１１８】
姿勢変更部６２の爪体６５（無端回動体６４）が回転駆動されることにより、作物Ａの上部が、爪体６５によりガイド部６３の案内部６３ａに沿って、第１搬送体１１の搬送終端部１１ｂから、第２搬送体１２の搬送始端部１２ａに向けて、押し操作される状態となる。
【０１１９】
姿勢変更部６２のガイド部６３の案内部６３ａ及び爪体６５は、第１搬送体１１の搬送終端部１１ｂからの作物Ａを、作物Ａの実Ａ２が付いている部分が作物Ａの株元Ａ１に対して分離部５に近い側（右側）となる横倒れ姿勢に姿勢変更する。上部ガイド部８２は、前述の作物Ａの横倒れ姿勢への姿勢変更を補助する。
【０１２０】
次に、第１搬送体１１の搬送終端部１１ｂから後側に離れて、姿勢変更部６２により横倒れ姿勢に姿勢変更された作物Ａの株元Ａ１が、第２搬送体１２の搬送始端部１２ａと株元ガイド部７７との間に挟持されて、第２搬送体１２の搬送始端部１２ａに乗る状態となる。
【０１２１】
これと同時に、作物Ａの上部が、倒れ込むようにして防塵カバー８４の開口部８４ａに入るのであり、作物Ａの上部が後部ガイド部８３により防塵カバー８４の開口部８４ａに向けて案内される。
【０１２２】
次に、横倒れ姿勢の作物Ａの株元Ａ１が、案内部材６１により第２搬送体１２とガイドレール１３の搬送始端部１３ａとの間に案内され、第２搬送体１２とガイドレール１３との間に挟持されるのであり、第２搬送体１２とガイドレール１３とにより作物Ａが横倒れ姿勢で後側に搬送される。
【０１２３】
（発明の実施の別形態）
機体１の前部の右部に収穫部３（第１搬送体１１）、第２搬送体１２及びガイドレール１３を設けてもよい。
この構成によると、第２搬送体１２及びガイドレール１３の左側に分離部５が設けられる。機体１の前部の右部に、油圧シリンダ４１及び負荷支持部７２が設けられる。
収穫部３の右部に、入り込み防止部材７８が取り付けられ、機体１の右の横部の前部及び後部に、接触防止部材７９，８０が取り付けられる。
【０１２４】
入り込み防止部材７８を、収穫部３ではなく機体１に取り付けてもよい。この構成によると、収穫部３を上昇操作した場合、入り込み防止部材７８は、図１に示す位置の付近に残ることになる。
【０１２５】
姿勢変更部６２において、無端回動体６４及び爪体６５を廃止して、ガイド部６３により姿勢変更部６２を構成してもよい。
【０１２６】
クローラ型式の走行装置２に代えて、多数の走行用の車輪（図示せず）を備えた走行装置２としてもよい。
【産業上の利用可能性】
【０１２７】
本発明は、枝豆収穫機ばかりではなく、大豆等の作物Ａを収穫する作物収穫機にも適用できるのであり、圃場の作物Ａを引き抜くのではなく、圃場の作物Ａの株元Ａ１の付近をカッター等で切断して、根部を圃場に残しながら作物Ａを収穫する作物収穫機にも適用できる。
【符号の説明】
【０１２８】
１      機体
２      走行装置
３      収穫部
１１    第１搬送体（搬送体）
４１    油圧シリンダ（昇降機構）
７８    入り込み防止部材
７８ａ  入り込み防止部材の前後向き部分
７８ｂ  入り込み防止部材の上下向き部分
７９    接触防止部材
８０    接触防止部材
Ａ      作物
【図１】
2020000081.tif 000003
【図２】
2020000081.tif 000004
【図３】
2020000081.tif 000005
【図４】
2020000081.tif 000006
【図５】
2020000081.tif 000007
【図６】
2020000081.tif 000008
【図７】
2020000081.tif 000009
【図８】
2020000081.tif 000010
【図９】
2020000081.tif 000011
【図１０】
2020000081.tif 000012
【図１１】
2020000081.tif 000013
【図１２】
2020000081.tif 000014
【図１３】
2020000081.tif 000015